(57)【要約】【課題】透過型表示装置にカラー画像を表示させる。【解決手段】透過型表示装置は表示ユニット２０と光源ユニット１１とを有する。光源ユニット２０は第１、第２のガラス基板２１ａ、２１ｂ、第１、第２の透明電極２２ａ、２２ｂ、高分子分散液晶層２３を有する。光源ユニット１１は赤色光、緑色光、青色光を発する有機ＥＬ素子を有する。光源ユニット１１は赤色光、緑色光、青色光を第１のガラス基板２１ａの側面に向けて出射する。第１のガラス基板２１ａに出射した光は第１のガラス基板２１ａの内部を進行する。一部の光は高分子分散液晶層２３に入射する。第１、第２の透明電極２２ａ、２２ｂ間に電圧を印加するとき、光は高分子分散液晶層２３を透過する。第１、第２の透明電極２２ａ、２２ｂ間に電圧の印加をしないとき、光は高分子分散液晶において拡散する。【選択図】図３
2007316484.tif 000002
【特許請求の範囲】
【請求項１】
互いに対向するように配置された第１、第２の透明基板と、
前記第１、第２の透明基板の向かい合う面である内側面に設けられる第１、第２の透明電極と、
前記第１、第２の透明電極の間に充填され、高分子部材に液晶を分散させることにより形成される高分子分散液晶層と、
前記第１の透明基板および前記第２の透明基板の側面の少なくとも一方に、第１、第２の色成分の光である第１、第２の光を所定の方向に出射する第１、第２の色光源とを備え、
前記所定の方向に出射され前記第１、第２の透明基板の側面に入射した前記第１、第２の光が前記内側面とは反対側の面である外側面において反射するように、前記所定の方向が調整される
ことを特徴とする透過型表示装置。
【請求項２】
前記第１、第２の色光源は、前記第１、第２の透明基板から異なる方向に設けられることを特徴とする請求項１に記載の透過型表示装置。
【請求項３】
前記第１、第２の色光源は、前記第１、第２の透明基板から同一の方向に設けられることを特徴とする請求項１に記載の透過型表示装置。
【請求項４】
前記第１、第２の色光源が設けられる方向と逆の方向における前記第１、第２の透明基板の側面に、光を反射する反射部材が設けられることを特徴とする請求項３に記載の透過型表示装置。
【請求項５】
互いに対向するように配置された第１、第２の透明基板と、
前記第１、第２の透明基板の向かい合う面である内側面に設けられる第１、第２の透明電極と、
前記第１、第２の透明電極の間に充填され、高分子部材に液晶を分散させることにより形成される高分子分散液晶層と、
前記高分子分散液晶の側面に、第１、第２の色成分の光である第１、第２の光を所定の方向に出射する第１、第２の色光源とを備え、
前記所定の方向に出射され前記内側面から前記第１、第２の透明基板に入射する前記第１、第２の光が前記内側面とは反対側の面である外側面において反射するように、或いは前記内側面と平行となるように、前記所定の方向が調整される
ことを特徴とする透過型表示装置。
【請求項６】
前記第１、第２の色光源は、前記高分子分散液晶層から異なる方向に設けられることを特徴とする請求項５に記載の透過型表示装置。
【請求項７】
前記第１、第２の色光源は、前記高分子分散液晶層から同じ方向に設けられることを特徴とする請求項５に記載の透過型表示装置。
【請求項８】
前記第１、第２の色光源が設けられる方向と逆の方向における前記高分子分散液晶層の側面に、光を反射する反射部材が設けられることを特徴とする請求項７に記載の透過型表示装置。
【請求項９】
前記外側面における反射が全反射となるように前記所定の方向が調整されることを特徴とする請求項１〜請求項８のいずれか１項に記載の透過型表示装置。
【請求項１０】
前記第１、第２の透明電極間に印加する電圧である駆動電圧を調整する表示駆動部を備えることを特徴とする請求項１〜請求項９のいずれか１項に記載の透過型表示装置。
【請求項１１】
前記表示駆動部は、前記第１の色光源を発光させ第２の色光源を消灯させて前記駆動電圧を調整し、次に前記第１の色光源を消灯させ前記第２の色光源を発光させて前記駆動電圧を調整することを特徴とする請求項１０に記載の透過型表示装置。
【請求項１２】
前記第１、第２の色光源から出射される前記第１、第２の光の光量を調整する表示駆動部を備えることを特徴とする請求項１〜請求項９のいずれか１項に記載の透過型表示装置。
【請求項１３】
前記液晶はＰ型液晶であり、常光線に対する前記Ｐ型液晶の屈折率は前記高分子部材の屈折率と実質的に等しいことを特徴とする請求項１〜請求項１２のいずれか１項に記載の透過型表示装置。
【請求項１４】
前記液晶はＮ型液晶であり、異常光線に対する前記Ｎ型液晶の屈折率は前記高分子部材の屈折率と実質的に等しいことを特徴とする請求項１〜請求項１２のいずれか１項に記載の透過型表示装置。
【請求項１５】
前記第１の透明電極は第１の配列方向に延びる複数の電極であり、前記第２の透明電極は前記第１の電極とは異なる方向である第２の配列方向に延びる複数の電極であることを特徴とする請求項１〜請求項１４のいずれか１項に記載の透過型表示装置。
【請求項１６】
前記第１、第２の配列方向は互いに直交することを特徴とする請求項１５に記載の透過型表示装置。
【請求項１７】
前記第１、第２の色光源は、有機ＥＬ素子であることを特徴とする請求項１〜請求項１６のいずれか１項に記載の透過型表示装置。
【請求項１８】
互いに対向するように配置された第１、第２の透明基板と、
前記第１、第２の透明基板の向かい合う面である内側面に設けられる第１、第２の透明電極と、
前記第１、第２の透明電極の間に充填され、高分子部材に液晶を分散させることにより形成される高分子分散液晶層と、
前記第１の透明基板および第２の透明基板の側面の少なくとも一方に、第１、第２の色成分の光である第１、第２の光を所定の方向に出射する第１、第２の色光源とをファインダ部に備え、
前記所定の方向に出射され前記第１、第２の透明基板の側面に入射した前記第１、第２の光が前記内側面とは反対側の面において反射するように、前記所定の方向が調整される
ことを特徴とするカメラ。
【請求項１９】
互いに対向するように配置された第１、第２の透明基板と、
前記第１、第２の透明基板の向かい合う面である内側面に設けられる第１、第２の透明電極と、
前記第１、第２の透明電極の間に充填され、高分子部材に液晶を分散させることにより形成される高分子分散液晶層と、
前記高分子分散液晶の側面に、第１、第２の色成分の光である第１、第２の光を所定の方向に出射する第１、第２の色光源とをファインダ部に備え、
前記所定の方向に出射され前記内側面から前記第１、第２の透明基板に入射する前記第１、第２の光が前記内側面とは反対側の面において反射するように、或いは前記内側面と平行となるように、前記所定の方向が調整される
ことを特徴とするカメラ。
【発明の詳細な説明】
【技術分野】
【０００１】
本発明は、投影される物体の光学像の上に別の画像を表示する透過型表示装置に関する。
【背景技術】
【０００２】
一眼レフカメラのファインダには、撮影レンズに入射する被写体の光学像が投影される。投影される光学像に、ＡＦエリア、測光エリア、または撮影条件等を表示させるためにファインダに透過型の表示装置が設けられる。
【０００３】
透過型表示装置として、ファインダ系に組込む液晶表示装置が知られている。液晶表示装置は、ガラス基板、透明電極、および液晶層によって構成される。被写体の光学像を表示する領域においては液晶層を用いて光学像を透過させ、撮影条件等を表示する領域において液晶層を用いて光学像を遮光させることにより、物体の光学像の上に別の画像を表示することが可能になる（特許文献１参照）。
【０００４】
しかし、単に一部の領域の光学像を遮光するだけでは、別の画像は黒色でしか表示できなかった。
【特許文献１】特開平８−３１３９７３号公報
【発明の開示】
【発明が解決しようとする課題】
【０００５】
したがって、本発明では透過型表示装置において被写体の光学像に重ねて表示する画像をカラー表示する透過型表示装置の提供を目的とする。
【課題を解決するための手段】
【０００６】
本発明の第１の透過型表示装置は、互いに対向するように配置された第１、第２の透明基板と、第１、第２の透明基板の向かい合う面である内側面に設けられる第１、第２の透明電極と、第１、第２の透明電極の間に充填され高分子部材に液晶を分散させることにより形成される高分子分散液晶層と、第１の透明基板および第２の透明基板の側面の少なくとも一方に第１、第２の色成分の光である第１、第２の光を所定の方向に出射する第１、第２の色光源とを備え、所定の方向に出射され第１、第２の透明基板の側面に入射した第１、第２の光が内側面とは反対側の面である外側面において反射するように所定の方向が調整されることを特徴としている。
【０００７】
なお、第１、第２の色光源は第１、第２の透明基板から異なる方向に設けられることが好ましい。または、第１、第２の色光源は第１、第２の透明基板から同一の方向に設けられることが好ましい。さらには第１、第２の色光源が設けられる方向と逆の方向における第１、第２の透明基板の側面に光を反射する反射部材が設けられることが好ましい。
【０００８】
本発明の第２の透過型表示装置は、互いに対向するように配置された第１、第２の透明基板と、第１、第２の透明基板の向かい合う面である内側面に設けられる第１、第２の透明電極と、第１、第２の透明電極の間に充填され高分子部材に液晶を分散させることにより形成される高分子分散液晶層と、高分子分散液晶の側面に第１、第２の色成分の光である第１、第２の光を所定の方向に出射する第１、第２の色光源とを備え、所定の方向に出射され内側面から第１、第２の透明基板に入射する第１、第２の光が内側面とは反対側の面である外側面において反射するように或いは内側面と平行となるように所定の方向が調整されることを特徴とする。
【０００９】
なお、第１、第２の色光源は高分子分散液晶層から異なる方向に設けられることが好ましい。または、第１、第２の色光源は高分子分散液晶層から同じ方向に設けられることが好ましい。さらには、第１、第２の色光源が設けられる方向と逆の方向における高分子分散液晶層の側面に光を反射する反射部材が設けられることが好ましい。
【００１０】
また、外側面における反射が全反射となるように所定の方向が調整されることが好ましい。
【００１１】
また、第１、第２の透明電極間に印加する電圧である駆動電圧を調整する表示駆動部を備えることが好ましい。さらには、表示駆動部は第１の色光源を発光させ第２の色光源を消灯させて駆動電圧を調整し、次に第１の色光源を消灯させ第２の色光源を発光させて前記駆動電圧を調整することが好ましい。または第１、第２の色光源から出射される第１、第２の光の光量を調整する表示駆動部を備えることが好ましい。
【００１２】
また、液晶はＰ型液晶であり常光線に対するＰ型液晶の屈折率は高分子部材の屈折率と実質的に等しいことが好ましい。または、液晶はＮ型液晶であり異常光線に対するＮ型液晶の屈折率は高分子部材の屈折率と実質的に等しいことが好ましい。
【００１３】
また、第１の透明電極は第１の配列方向に延びる複数の電極であり、第２の透明電極は第１の電極とは異なる方向である第２の配列方向に延びる複数の電極であることが好ましい。さらには、第１、第２の配列方向は互いに直交することが好ましい。
【００１４】
また、第１、第２の色光源は、有機ＥＬ素子であることが好ましい。
【００１５】
本発明の第１のカメラは、互いに対向するように配置された第１、第２の透明基板と、第１、第２の透明基板の向かい合う面である内側面に設けられる第１、第２の透明電極と、第１、第２の透明電極の間に充填され高分子部材に液晶を分散させることにより形成される高分子分散液晶層と、第１の透明基板および第２の透明基板の側面の少なくとも一方に第１、第２の色成分の光である第１、第２の光を所定の方向に出射する第１、第２の色光源とをファインダ部に備え、所定の方向に出射され第１、第２の透明基板の側面に入射した第１、第２の光が内側面とは反対側の面において反射するように所定の方向が調整されることを特徴としている。
【００１６】
本発明の第２のカメラは、互いに対向するように配置された第１、第２の透明基板と、第１、第２の透明基板の向かい合う面である内側面に設けられる第１、第２の透明電極と、第１、第２の透明電極の間に充填され高分子部材に液晶を分散させることにより形成される高分子分散液晶層と、高分子分散液晶の側面に第１、第２の色成分の光である第１、第２の光を所定の方向に出射する第１、第２の色光源とをファインダ部に備え、所定の方向に出射され内側面から第１、第２の透明基板に入射する第１、第２の光が内側面とは反対側の面において反射するように或いは内側面と平行となるように所定の方向が調整されることを特徴としている。
【発明の効果】
【００１７】
本発明によれば、透過型表示装置にカラー画像を表示させることが可能になる。
【発明を実施するための最良の形態】
【００１８】
以下、本発明の実施形態について図面を参照して説明する。
図１は、本発明の一実施形態を適用した透過型表示装置を有する一眼レフカメラの内部構造の一部を示す断面図である。なお、図１において左右方向および上下方向を、一眼レフカメラにおける前後方向および上下方向とする。
【００１９】
一眼レフカメラ３０は、筐体３１に撮影光学系３２、ミラー３３、撮像素子３４、焦点板３５、透過型表示装置１０、コンデンサレンズ３６、ペンタプリズム３７、および接眼レンズ３８が設けられることにより、形成される。
【００２０】
撮影光学系３２は、フォーカスレンズ、変倍レンズなどの複数のレンズによって構成される。ミラー３３は、撮影光学系３２の光軸に対して垂直な軸を中心にして回動可能に固定される。撮影待機状態において、ミラー３３は光軸に重なるように、また光軸に対して４５°の角度となるように保持される。
【００２１】
焦点板３５、透過型表示装置１０、コンデンサレンズ３６、およびペンタプリズム３７はミラー３３の上方に設けられる。撮像素子３４は、ミラー３３の後方に設けられる。また、接眼レンズ３８はペンタプリズム３７の後方に設けられる。
【００２２】
撮影待機状態において、被写体の光学像が撮影光学系３２を透過して、ミラー３３に反射される。ミラー３３に反射された光学像は焦点板３５上で結像する。焦点板３５上で結像した光学像は焦点板３５、透過型表示装置１０、コンデンサレンズ３６、およびペンタプリズム３７を介して接眼レンズ３８から出射される。光学像は接眼レンズ３８において観察可能である。
【００２３】
レリーズボタン（図示せず）を押下することによりレリーズ動作が実行される。レリーズ動作が実行されるとき、ミラー３３は上方に跳ね上げられる。ミラー３３が跳ね上げられると、シャッタ（図示せず）が開き、撮像素子３４の受光面に被写体の光学像が受光される。
【００２４】
次に、透過型表示装置１０の構成について図２、図３を用いて説明する。図２は、透過型表示装置１０の外観図である。図３は透過型表示装置１０を構成する表示ユニット２０と光源ユニット１１との厚さ方向の断面図である。
【００２５】
図２に示すように、透過型表示装置１０は、表示ユニット２０、光源ユニット１１、および表示駆動回路１２によって構成される。
【００２６】
表示ユニット２０は、矩形の板状に形成される。板状の一方の面に投影される光学像が他方の面に透過される。表示ユニット２０の側面には、光源ユニット１１が設けられる。光源ユニット１１から赤色光、緑色光、青色光が出射される。出射されるそれぞれの光は表示ユニット２０の側面に入射される。
【００２７】
表示ユニット２０および光源ユニット１１は、表示駆動回路１２に電気的に接続される。表示駆動回路１２に駆動されることにより、表示ユニット２０は投影される光学像上に別の画像を表示することが可能である。
【００２８】
図３に示すように、表示ユニット２０は矩形の第１、第２のガラス基板２１ａ、２１ｂ、第１、第２の透明電極２２ａ、２２ｂ、および高分子分散液晶層２３によって形成される。第１、第２のガラス基板２１ａ、２１ｂは、互いに対向するように配置される。
【００２９】
第１のガラス基板２１ａにおける第２のガラス基板２１ｂに向き合う面である内側面に、第１の透明電極２２ａが密着するように設けられる。第２のガラス基板２１ｂにおける第１のガラス基板２１ａに向き合う面である内側面に、第２の透明電極２２ｂが密着するように設けられる。
【００３０】
図４に示すように、複数の第１の透明電極２２ａは、第１のガラス基板２１ａの短辺方向に延びるように形成される。一方、複数の第２の透明電極２２ｂは、第２のガラス基板２１ｂの長辺方向に延びるように形成される。
【００３１】
前述のように第１、第２の透明電極２２ａ、２２ｂを形成することにより、第１、第２の透明電極２２ａ、２２ｂが交わる領域が単位セル２４として形成される。
【００３２】
図３において、第１、第２の透明電極２２ａ、２２ｂの間には、高分子分散液晶層２３が充填される。高分子分散液晶層２３は、高分子部材２５に無数の液晶小滴２６を分散させることにより、形成される。
【００３３】
なお、第１、第２のガラス基板２１ａ、２１ｂは同じ屈折率ｎ（ｇ）のガラス部材によって形成される。高分子分散液晶層２３の液晶小滴２６にはＰ形液晶が用いられる。また、高分子部材２５および液晶小滴２６には、次の（１）、（２）式を満たす部材が用いられる。
【００３４】
ｎ（ｇ）＜ｎ（ｏ）、ｎ（ｅ）、ｎ（ｐ）      （１）
ｎ（ｐ）≒ｎ（ｅ）                          （２）
ここで、ｎ（ｏ）は液晶分子の常光線に対する屈折率、ｎ（ｅ）は液晶分子の異常光線に対する屈折率、ｎ（ｐ）は高分子部材２５の屈折率である。
【００３５】
なお、液晶小滴２６に用いられる液晶はＮ形液晶であってもよく、その場合に高分子部材２５および液晶小滴２６には、前述の（１）式と次の（２）’式を満たす部材が用いられる。
【００３６】
ｎ（ｐ）≒ｎ（ｏ）                          （２）’
【００３７】
前述のような屈折率の高分子部材２５および液晶小滴２６を選択することにより、第１、第２の透明電極２２ａ、２２ｂ間に電圧が印加されるときに、液晶分子の向きが第１の透明電極２２ａから第２の透明電極２２ｂの方向に変えられ（図３参照）、高分子部材２５の屈折率と液晶小滴２６の屈折率は実質的に同一に変化する。従って、電圧を印加した状態において、高分子分散液晶層２３に入射する光（符号Ｂ参照）は直進し、高分子分散液晶層２３は透明になる。
【００３８】
一方、第１、第２の透明電極２２ａ、２２ｂ間に印加した電圧の印加を停止すると、液晶分子の向きは不均一となり（図５参照）、高分子分散液晶層２３に入射する光（符号Ｂ参照）は、液晶小滴２６において拡散される。従って、高分子分散液晶層２３は、入射する光の色に色づけられる。
【００３９】
第１のガラス基板２１ａの側面には光源ユニット１１が設けられる。光源ユニット１１は、第１のガラス基板２１ａの２辺に設けられる（図２参照）。第１のガラス基板２１ａにおける光源ユニット１１が設けられる逆側の辺の側面には、反射部材（図示せず）が設けられる。第１のガラス基板２１ａの内部を通過する光は、反射部材によって反射される。
【００４０】
光源ユニット１１には、赤色光、緑色光、青色光を出射する赤色光源（図示せず）、緑色光源（図示せず）、青色光源（図示せず）が設けられる。なお、赤色光源、緑色光源、青色光源は有機ＥＬ素子（図示せず）である。赤色光源、緑色光源、青色光源から出射される赤色光、緑色光、青色光は指向性を有しており、第１のガラス基板２１ａの側面に向けて所定の方向に出射されるように、それぞれの光源が設置される。
【００４１】
それぞれの光が出射される所定の方向は、次の条件を満たす方向に定められる。第１のガラス基板２１ａに入射した光が第１のガラス基板２１ａの内側面と逆側の面である外側面と交差可能となるような方向が、所定の方向に定められる。また、第１のガラス基板２１ａに入射した光を第１のガラス基板２１ａの外側面において全反射させるように所定の方向が定められる（図６符号Ｂ参照）。
【００４２】
なお、第２のガラス基板２１ｂ側がペンタプリズム３７に対向するように、透過型表示装置１０はデジタルカメラ３０内に配置される。第１のガラス基板２１ａ内を進行する光は外側面に臨海角以上の大きさの入射角に入射しても、すべての光が全反射するわけでなく、一部は透過する。したがって、ペンタプリズム側への光の進入を防ぐために、第２のガラス基板２１ｂ側をペンタプリズム３７に対向させることが好ましい。
【００４３】
以上のような構成の透過型表示装置１０における画像を表示させるときの動作について説明する。
【００４４】
光源ユニット１１から出射される光は、第１のガラス基板２１ａに入射される。入射した光は、第１のガラス基板２１ａの外側面において全反射し、内側面において一部の光が反射しながら、第１のガラス基板２１ａの内部を進行する。第１のガラス基板２１ａに入射した光は、内側面において一部の光が第１の透明電極２２ａを介して高分子分散液晶層２３に出射される。
【００４５】
第１、第２の透明電極２２ａ、２２ｂの間に電圧を印加した状態では、前述のように高分子分散液晶層２３の屈折率は均一となる。そのため、第１のガラス基板２１ａの外側面から入射される光学像は、そのまま第２のガラス基板２１ｂの外側面から出射される。また、光源ユニット１１から高分子分散液晶層２３に入射した光はそのまま直進して、第２のガラス基板２１ｂに入射される（図７参照）。
【００４６】
第１、第２のガラス基板２１ａ、２１ｂは同じ屈折率であり、第１のガラス基板２１ａの内側面から高分子液晶層２３への光の入射角と高分子液晶層２３から第２のガラス基板２１ｂの内側面への光の出射角度は等しくなる。従って、第２のガラス基板２１ｂに入射した光は、第２のガラス基板２１ｂの外側面において全反射される。第１のガラス基板２１ａと同様に、外側面において全反射された光は内側面において一部が反射されながら、第２のガラス基板２１ｂの内部を進行する。
【００４７】
従って、第１、第２の透明電極２２ａ、２２ｂの間に電圧を印加した状態では、背景画像がそのまま表示される。
【００４８】
一方、第１、第２の透明電極２２ａ、２２ｂの間に電圧を印加しない状態では、前述のように高分子分散液晶層２３によって、入射した光が散乱される（図８参照）。そのため、第１のガラス基板２１ａの外側面から入射される光学像は、第２のガラス基板２１ｂの外側面においてぼやけて表示される。また、光源ユニット１１から高分子分散液晶層２３に入射した光は、高分子分散液晶層２３において無数の方向に拡散される。
【００４９】
拡散された光の中で、第２のガラス基板２１ｂ方向に進行する光の一部が第２のガラス基板２１ｂに入射する。第２のガラス基板２１ｂに入射した光の中で外側面における入射角が臨界角以上の光は反射される。一方、入射角が臨界角未満となる光は、第２のガラス基板２１ｂの外側面から出射する。従って、第１、第２の透明電極２２ａ、２２ｂの間に電圧を印加しない状態では、光源ユニット１１から出射した光が第２のガラス基板２１ｂから出射される。
【００５０】
第１、第２の透明電極２２ａ、２２ｂの間に印加する電圧の大きさに応じて、第２のガラス基板２１ｂから出射させる光の光量を調整可能である。
【００５１】
画像を表示するときは、複数の第１の透明電極２２ａが順番に選択される。単一の第１の透明電極２２ａが選択されている間にすべての第２の透明電極２２ｂに対して、単位セル２４に発光させる光の光量に応じた電圧データが送られる。第１の透明電極２２ａと各第２の透明電極２２ｂとの交点における各単位セル２４が送られた電圧データによって発色する。すべての第１の透明電極２２ａを順番に選択して、同様の動作が行なわれる。
【００５２】
なお、赤色光、緑色光、青色光の発光は時系列的に分割される。例えば、最初に赤色光源に一定の光量の赤色光を出射させる。すべての単位セル２４に対して電圧データが送られ、すべての単位セル２４における赤色成分の光を出射させる。すべての単位セル２４に赤色光を出射させると、赤色光源が消灯される。
【００５３】
次に、緑色光源に一定の光量の緑色光を出射させる。すべての単位セル２４に対して電圧データが送られ、すべての単位セル２４における緑色成分の光を出射させる。すべての単位セル２４に緑色光を出射させると、緑色光源が消灯される。
【００５４】
次に、青色光源に一定の光量の青色光を出射させる。すべての単位セル２４に対して電圧データが送られ、すべての単位セル２４における青色成分の光を出射させる。すべての単位セル２４に青色光を出射させると、青色光源が消灯される。
【００５５】
青色光を出射させた後は、同様にして赤、緑、青の光の順番にそれぞれの色成分の光が表示ユニット２０に供給される。以後、これを繰返すことにより、表示ユニット２０に、フルカラーの画像が表示される。
【００５６】
以上のような本実施形態の透過型表示装置１０によれば、観察する画像を透過することにより視認可能なまま、別の画像をフルカラーで表示することが可能である。
【００５７】
なお、本実施形態において、光源ユニット１１は第１のガラス基板２１ａの側面に設けられ、第１のガラス基板２１ａの側面に光源ユニット１１から出射される光が入射する構成であるが、第２のガラス基板２１ｂの側面に設けられ、第２のガラス基板２１ｂの側面に光が入射する構成であってもよい。
【００５８】
あるいは、光源ユニット１１は高分子分散液晶層２３の側面に設けられ、高分子分散液晶層２３に光源ユニット１１から出射される光が入射する構成であってもよい。高分子分散液晶層２３の側面に設けられる場合は、高分子分散液晶層２３から第１、第２のガラス基板２１ａ、２１ｂに入射する光が、それぞれの外側面において全反射を起こさせるように、光源ユニット１１から出射する光の方向が定められることが好ましい。
【００５９】
または、高分子分散液晶層２３内を、第１、第２のガラス基板２１ａ、２１ｂの外側面に平行な直線に沿って進行するように、光源ユニット１１から出射する光の方向が定められてもよい。このような方向に出射しても、電圧を印加していない単位セル２４においては光の拡散が起こり、第２のガラス基板２１ｂの外側面に光を出射可能だからである。
【００６０】
また、本実施形態において、第１のガラス基板２１ａの側面は内側面および外側面に垂直であるが、傾斜させた形状であってもよい。傾斜角を調整することによっても、第１のガラス基板２１ａ内を進入する光の内側面および外側面への入射角を調整することが可能だからである。
【００６１】
また、本実施形態において、光源ユニット１１内の各光源の方向を調整することによりガラス基板２１ａ内を進入する光の内側面および外側面への入射角を調整する構成であるが、光源ユニット１１の出射面に垂直な方向に光を出射するように各光源を設置し、光源ユニット１１の出射面を第１のガラス基板２１ａの側面に対して傾斜させることによっても前述の光の入射角を調整することは可能である。
【００６２】
また、本実施形態において、光源ユニット１１と第１のガラス基板２１ａは離間するように配置されているが、密接していてもよい。
【００６３】
また、本実施形態において、赤色光源、緑色光源、青色光源に一定の光量の光を出射させる構成であるが、単位セル２４に出射させる光の光量に応じて変化させる構成であってもよい。それぞれの光源からの出射光量を変化させる場合には、第１、第２の透明電極２１ａ、２１ｂ間に印加する電圧の調整は不要である。ただし、光源からの出射光量と、印加する電圧の両方を調整することも可能である。
【００６４】
また、本実施形態において、赤色光、緑色光、青色光の発光は時系列的に分割される構成であるが、複数の色を同時に発光させる構成であってもよい。ただし、多彩な色を表示させるためには時系列的に発光させることが好ましい。前述のように、それぞれの光源からの出射光量を変化させる場合には、同時に発光させても本実施形態と同様の効果を得ることが可能である。
【００６５】
また、本実施形態において、第１のガラス基板２１ａの外側面において全反射を起こすように光源が光を出射する所定の方向が定められるが、全反射を起こさせなくてもよい。本実施形態のように、カメラのファインダなどに用いられる場合には、透過型表示装置１０の真正面からのみ、観察が行なわれるために全反射を起こさせなくても、第２のガラス基板２１ｂから不要な色成分の光が観察者に到達することが少ないからである。ただし、光が外部に漏れることにより色を表示させる単位セル２４における輝度が低下することになるので、全反射させることが好ましい。
【００６６】
また、本実施形態において、光源ユニット１１に設けられる光源として、有機ＥＬ素子を用いる構成であるが、ＬＥＤ等の他の光源を用いても本実施形態と同様の効果を得ることが可能である。第１、第２の透明電極２１ａ、２１ｂ間に印加する電圧を調整する構成であれば、いかなる種類の光源を用いても構わないが、光源からの出射光量を調整する構成の場合は有機ＥＬ素子のように高速で出射光量を変調可能な光源が好ましい。
【００６７】
また、本実施形態において、液晶セル２４の駆動には単純マトリックス方式が適用される構成であるが、アクティブマトリックス方式を適用してもよい。
【００６８】
また、本実施形態では、マトリックス方式により複数の単位セル２４が形成され、各単位セル２４における発光量を調整することにより様々な画像を表示可能な構成であるが、第１、第２のガラス基板を所定の形状に形成し、所定の形状の画像のみが表示される構成であってもよい。本実施形態のように、カメラのファインダ内で特定の形態のアイコンのみを表示することが目的である場合に、このような構成の適用が可能である。
【００６９】
また、本実施形態において、第１の透明電極２２ａが第１のガラス基板２１ａの短辺方向に延びるように形成され、第２の透明電極２２ｂが第１の透明電極２１ａに垂直となるように形成される構成であるが、第１、第２の透明電極２２ａ、２２ｂ間に高分子分散液晶層２３が形成されればいかなる配置であってもよい。
【００７０】
また、本実施形態において、第１のガラス基板２１ａの一部の側面に反射部材が設けられる構成であるが、設けなくても本実施形態と同様の効果を得ることは可能である。ただし、反射部材により反射させることにより、有機ＥＬ素子に出射させる光量を低く抑えたまま第２のガラス基板２１ｂ側から見た単位セル２４の輝度を高くすることが可能になる。
【００７１】
また、光源ユニット１１は、矩形の表示ユニット２０に対して２辺の辺部に設けられる構成であるが、１辺にのみ設けられてもよいし、３または４辺に設けられてもよい。
【００７２】
また、光源ユニット１１には、赤色光源、緑色光源、青色光源が設けられる構成であるが、単一の光源ユニット１１に単一の種類の光源が設けられる構成であってもよい。
【００７３】
例えば、図９に示すように、表示ユニット１１の１辺には赤色光源のみを有する光源ユニット１１ｒが設けられ、別の１辺には緑色光源のみを有する光源ユニット１１ｇが設けられ、さらに別の１辺には青色光源のみを有する光源ユニット１１ｂが設けられる構成であっても、本実施形態と同様の効果を得ることが可能である。或いは、単一の光源ユニットに２種類の有機ＥＬ素子が設けられる構成であってもよい。このような構成のように単一の光源ユニットに設ける光源が１種類または２種類である場合は、３種類の光源である場合に比べて製造が容易となる利点を有する。
【００７４】
なお、本実施形態において、３原色の光を発する光源を用いたが、他の色の光を発する光源を用いてもよい。
【００７５】
また、本実施形態において第１、第２のガラス基板２１ａ、２１ｂを用いる構成であるが、透明な板状部材である透明基板を用いてもよい。
【００７６】
また、本実施形態において、透過型表示装置は一眼レフカメラ３０に設けられる構成であるが、いかなるカメラに用いられてもよい。さらには、カメラに限らず、双眼鏡などのように、透過型表示装置が適用可能ないかなる器具に設けることも可能である。
【図面の簡単な説明】
【００７７】
【図１】本発明の一実施形態を適用した透過型表示装置を有する一眼レフカメラの内部構造の一部を示す断面図である。
【図２】透過型表示装置の外観図である。
【図３】透過型表示装置を構成する表示ユニットと光源ユニットとの厚さ方向の断面図である。
【図４】表示ユニットを正面から見た透視図である。
【図５】第１、第２の透明電極間に電圧を印加していない状態における光の拡散状態を説明するための図である。
【図６】光源ユニットから出射された光が第１のガラス基板の内部を進行する状態を説明するための図である。
【図７】第１、第２の透明電極間に電圧を引火した状態における光の透過状態を説明するための図である。
【図８】第１、第２の透明電極間に電圧を印加した状態において第２のガラス基板から光が出射する状態を説明するための図である。
【図９】光源ユニットの変形例を表示ユニットに設けた状態を示す図である。
【符号の説明】
【００７８】
１０  透過型表示装置
１１  光源ユニット
１２  表示駆動回路
２０  表示ユニット
２１ａ、２１ｂ  第１、第２のガラス基板
２２ａ、２２ｂ  第１、第２の透明電極
２３  高分子分散液晶層
２４  単位セル
２５  高分子部材
２６  液晶小滴
３０  一眼レフカメラ
【図１】
2007316484.tif 000003
【図２】
2007316484.tif 000004
【図３】
2007316484.tif 000005
【図４】
2007316484.tif 000006
【図５】
2007316484.tif 000007
【図６】
2007316484.tif 000008
【図７】
2007316484.tif 000009
【図８】
2007316484.tif 000010
【図９】
2007316484.tif 000011